(57)【要約】【課題】光学ファインダーを用いて撮影を行う場合に、設定変更を行いながら撮影を行う際の手間を軽減する。【解決手段】本発明の撮像装置は、光学ファインダー撮影モードでは、複数の設定項目のうちユーザに選択された設定項目の設定値を変更するための階層メニューに含まれる第１の階層のメニューより下の階層の設定画面において、ライブビュー画像を表示することなく、選択された設定項目の設定値を変更するためのアイテムを表示し、設定を変更する操作に基づいて当該選択された設定項目の設定値を変更し、前記階層メニューに含まれる設定画面を閉じて撮影待機画面を表示させた状態で所定の操作が行われたことに応じて、前記階層メニューに含まれる前回最後に表示していた設定項目の設定画面を前記表示手段に表示する、ように制御する表示制御手段と、を有する。【選択図】図３
2020108090.tif 000002
【特許請求の範囲】
【請求項１】
光学ファインダーと、
前記光学ファインダーの外部に備えられた表示手段と、
前記表示手段に撮影待機画面を表示している際に特定の操作手段に対する操作があったことに応じて、複数の設定項目のいずれかの設定項目の設定を変更するための階層メニューに含まれる第１の階層のメニュー画面を表示するように制御する制御手段と、
ライブビュー撮影モードでは、
前記複数の設定項目のうちユーザに選択された設定項目の設定値を変更するための、前記階層メニューに含まれる前記第１の階層のメニューより下の階層の設定画面において、ライブビュー画像とともに、選択された設定項目の設定値を変更するためのアイテムを表示し、設定を変更する操作に基づいて当該選択された設定項目の設定を変更するとともに、変更された設定を前記表示手段に表示されたライブビュー画像に反映し、
前記階層メニューに含まれる設定画面を閉じて前記撮影待機画面を表示させた状態で所定の操作が行われても、前記階層メニューに含まれる前回最後に表示していた設定項目の設定画面を表示せず、
光学ファインダー撮影モードでは、
前記複数の設定項目のうちユーザに選択された設定項目の設定値を変更するための、前記階層メニューに含まれる前記第１の階層のメニューより下の階層の設定画面において、ライブビュー画像を表示することなく、選択された設定項目の設定値を変更するためのアイテムを表示し、設定を変更する操作に基づいて当該選択された設定項目の設定値を変更し、
前記階層メニューに含まれる設定画面を閉じて前記撮影待機画面を表示させた状態で前記所定の操作が行われたことに応じて、前記階層メニューに含まれる前回最後に表示していた設定項目の設定画面を前記表示手段に表示する、
ように制御する表示制御手段と、
を有することを特徴とする撮像装置。
【請求項２】
前記階層メニューに含まれる複数の設定画面のうち、最後に表示した設定項目の設定画面を記憶するように制御する記憶制御手段をさらに有する、
ことを特徴とする請求項１に記載の撮像装置。
【請求項３】
前記表示制御手段は、撮像が行われた場合、撮影結果を表示した後に、前記記憶されている設定画面を表示する、
ことを特徴とする請求項２に記載の撮像装置。
【請求項４】
前記表示制御手段は、光学ファインダー撮影モードにおいて、設定画面を表示中に前記所定の操作が行われた場合は設定画面を閉じる、
ことを特徴とする請求項１から３のいずれか一項に記載の撮像装置。
【請求項５】
前記表示制御手段は、光学ファインダー撮影モードにおいて、前記所定の操作とは異なる操作であって、撮像するための操作が行われた場合は設定画面を閉じる、
ことを特徴とする請求項１から４のいずれか一項に記載の撮像装置。
【請求項６】
前記表示制御手段は、設定画面間の画面遷移のうち下の階層へ画面遷移した場合は遷移後の設定画面を記憶し、上の階層へ画面遷移した場合は遷移後の設定画面を記憶しない、
ことを特徴とする請求項１から５のいずれか一項に記載の撮像装置。
【請求項７】
前記複数の設定項目のうち、１つ以上の設定項目は複数の階層からなる設定画面を有し、
前記表示制御手段は、前記複数の階層からなる設定画面に遷移した場合は遷移後の設定画面を記憶する、
ことを特徴とする請求項１から６のいずれか一項に記載の撮像装置。
【請求項８】
前記表示制御手段は、設定画面間で画面遷移が行われた場合は常に遷移後の設定画面を記憶する、
ことを特徴とする請求項１から７のいずれか一項に記載の撮像装置。
【請求項９】
前記所定の操作は、前記撮像装置に設けられるボタン操作である、
ことを特徴とする請求項１から８のいずれか一項に記載の撮像装置。
【請求項１０】
光学ファインダーと、
前記光学ファインダーの外部に備えられた表示手段と、
を有する撮像装置の制御方法であって、
前記表示手段に撮影待機画面を表示している際に特定の操作手段に対する操作があったことに応じて、複数の設定項目のいずれかの設定項目の設定を変更するための階層メニューに含まれる第１の階層のメニュー画面を表示するように制御する制御ステップと、
ライブビュー撮影モードでは、
前記複数の設定項目のうちユーザに選択された設定項目の設定値を変更するための、前記階層メニューに含まれる前記第１の階層のメニューより下の階層の設定画面において、ライブビュー画像とともに、選択された設定項目の設定値を変更するためのアイテムを表示し、設定を変更する操作に基づいて当該選択された設定項目の設定を変更するとともに、変更された設定を前記表示手段に表示されたライブビュー画像に反映し、
前記階層メニューに含まれる設定画面を閉じて前記撮影待機画面を表示させた状態で所定の操作が行われても、前記階層メニューに含まれる前回最後に表示していた設定項目の設定画面を表示せず、
光学ファインダー撮影モードでは、
前記複数の設定項目のうちユーザに選択された設定項目の設定値を変更するための、前記階層メニューに含まれる前記第１の階層のメニューより下の階層の設定画面において、ライブビュー画像を表示することなく、選択された設定項目の設定値を変更するためのアイテムを表示し、設定を変更する操作に基づいて当該選択された設定項目の設定値を変更し、
前記階層メニューに含まれる設定画面を閉じて前記撮影待機画面を表示させた状態で前記所定の操作が行われたことに応じて、前記階層メニューに含まれる前回最後に表示していた設定項目の設定画面を前記表示手段に表示する、
ように制御する表示制御ステップと、
を有することを特徴とする撮像装置の制御方法。
【請求項１１】
コンピュータを、請求項１から９のいずれか一項に記載された撮像装置の各手段として機能させるためのプログラム。
【請求項１２】
コンピュータを、請求項１から９のいずれか一項に記載された撮像装置の各手段として機能させるためのプログラムを格納したコンピュータが読み取り可能な記憶媒体。
【発明の詳細な説明】
【技術分野】
【０００１】
本発明は、撮像装置、撮像装置の制御方法、プログラム、および記憶媒体に関する。
【背景技術】
【０００２】
デジタルカメラでは、撮影した画像を表示部に表示することにより写真の仕上がりをその場で確認することができる。そのため、撮影に関する各種設定を行う際、設定→撮影→確認が行われているが、繰り返し設定を行うような場合はユーザに手間が生じる。
【０００３】
ここで、撮像部で撮影した結果を表示部にリアルタイムで表示するライブビュー表示を行いながら設定変更を行うことができる技術が知られている。特許文献１では、ライブビュー画像を表示部に表示しながら設定変更を行う場合に、設定内容をライブビュー画像に反映する技術が開示されている。
【先行技術文献】
【特許文献】
【０００４】
【特許文献１】特開２０１１−１４６９５７号公報
【発明の概要】
【発明が解決しようとする課題】
【０００５】
しかしながら、上述の特許文献１に開示された技術では、ライブビュー表示を行わずに光学ファインダーを用いて撮影を行う場合には適用することができない。そのため、設定→撮影→確認を繰り返し行う必要がありユーザの手間が生じている。
【０００６】
そこで、本発明は、光学ファインダーを用いて撮影を行う場合に、設定変更を行いながら撮影を行う際の手間を軽減する技術を提供することを目的とする。
【課題を解決するための手段】
【０００７】
本発明の一態様は、
光学ファインダーと、
前記光学ファインダーの外部に備えられた表示手段と、
前記表示手段に撮影待機画面を表示している際に特定の操作手段に対する操作があったことに応じて、複数の設定項目のいずれかの設定項目の設定を変更するための階層メニューに含まれる第１の階層のメニュー画面を表示するように制御する制御手段と、
ライブビュー撮影モードでは、
前記複数の設定項目のうちユーザに選択された設定項目の設定値を変更するための、前記階層メニューに含まれる前記第１の階層のメニューより下の階層の設定画面において、ライブビュー画像とともに、選択された設定項目の設定値を変更するためのアイテムを表示し、設定を変更する操作に基づいて当該選択された設定項目の設定を変更するとともに、変更された設定を前記表示手段に表示されたライブビュー画像に反映し、
前記階層メニューに含まれる設定画面を閉じて前記撮影待機画面を表示させた状態で所定の操作が行われても、前記階層メニューに含まれる前回最後に表示していた設定項目の設定画面を表示せず、
光学ファインダー撮影モードでは、
前記複数の設定項目のうちユーザに選択された設定項目の設定値を変更するための、前記階層メニューに含まれる前記第１の階層のメニューより下の階層の設定画面において、ライブビュー画像を表示することなく、選択された設定項目の設定値を変更するためのアイテムを表示し、設定を変更する操作に基づいて当該選択された設定項目の設定値を変
更し、
前記階層メニューに含まれる設定画面を閉じて前記撮影待機画面を表示させた状態で前記所定の操作が行われたことに応じて、前記階層メニューに含まれる前回最後に表示していた設定項目の設定画面を前記表示手段に表示する、
ように制御する表示制御手段と、
を有することを特徴とする撮像装置である。
【０００８】
本発明の一態様は、
光学ファインダーと、
前記光学ファインダーの外部に備えられた表示手段と、
を有する撮像装置の制御方法であって、
前記表示手段に撮影待機画面を表示している際に特定の操作手段に対する操作があったことに応じて、複数の設定項目のいずれかの設定項目の設定を変更するための階層メニューに含まれる第１の階層のメニュー画面を表示するように制御する制御ステップと、
ライブビュー撮影モードでは、
前記複数の設定項目のうちユーザに選択された設定項目の設定値を変更するための、前記階層メニューに含まれる前記第１の階層のメニューより下の階層の設定画面において、ライブビュー画像とともに、選択された設定項目の設定値を変更するためのアイテムを表示し、設定を変更する操作に基づいて当該選択された設定項目の設定を変更するとともに、変更された設定を前記表示手段に表示されたライブビュー画像に反映し、
前記階層メニューに含まれる設定画面を閉じて前記撮影待機画面を表示させた状態で所定の操作が行われても、前記階層メニューに含まれる前回最後に表示していた設定項目の設定画面を表示せず、
光学ファインダー撮影モードでは、
前記複数の設定項目のうちユーザに選択された設定項目の設定値を変更するための、前記階層メニューに含まれる前記第１の階層のメニューより下の階層の設定画面において、ライブビュー画像を表示することなく、選択された設定項目の設定値を変更するためのアイテムを表示し、設定を変更する操作に基づいて当該選択された設定項目の設定値を変更し、
前記階層メニューに含まれる設定画面を閉じて前記撮影待機画面を表示させた状態で前記所定の操作が行われたことに応じて、前記階層メニューに含まれる前回最後に表示していた設定項目の設定画面を前記表示手段に表示する、
ように制御する表示制御ステップと、
を有することを特徴とする撮像装置の制御方法である。
【０００９】
本発明の一態様は、コンピュータを、上記の撮像装置の各手段として機能させるためのプログラムである。
【００１０】
本発明の一態様は、コンピュータを、上記の撮像装置の各手段として機能させるためのプログラムを格納したコンピュータが読み取り可能な記憶媒体である。
【発明の効果】
【００１１】
本発明によれば、光学ファインダーを用いて撮影を行う場合に、設定変更を行いながら撮影を行う際の手間を軽減することができる。
【図面の簡単な説明】
【００１２】
【図１】実施形態全体に係るデジタルカメラの外観図である。
【図２】実施形態全体に係るデジタルカメラのブロック図である。
【図３】実施形態１に係る設定画面の一例を示す図である。
【図４】実施形態１に係る画面遷移の一例を示す図である。
【図５】実施形態１に係る表示処理の一例を示すフローチャートである。
【図６】実施形態１に係る操作部に対応する画面遷移の一例を示す図である。
【図７】実施形態１に係る操作部に対応する画面遷移の一例を示す図である。
【図８】実施形態２に係る表示処理の一例を示すフローチャートである。
【発明を実施するための形態】
【００１３】
（実施形態１）
＜全体構成＞
以下、図面を参照して本発明の好適な実施形態を説明する。図１Ａ、図１Ｂに、本発明を適用可能な装置の一例としてのデジタルカメラ１００の外観図を示す。図１Ａはデジタルカメラ１００の前面斜視図であり、図１Ｂはデジタルカメラ１００の背面斜視図である。
【００１４】
表示部２８は、デジタルカメラ１００の背面に設けられた表示部であり、画像や各種情報を表示する。ファインダー外表示部４３は、デジタルカメラ１００の上面に設けられた表示部であり、シャッター速度や絞りをはじめとするデジタルカメラ１００の様々な設定値を表示する。端子カバー４０は、デジタルカメラ１００を外部機器に接続する接続ケーブル等のコネクタ（不図示）を保護するカバーである。クイックリターンミラー１２は、システム制御部５０（後述）から指示されて、不図示のアクチュエータによりアップダウンされる。通信端子１０は、デジタルカメラ１００がレンズユニット１５０（後述；着脱可能）側と通信を行うための通信端子である。接眼ファインダー１６は、フォーカシングスクリーン１３（後述）を観察することで、レンズユニット１５０を通して得た被写体の光学像の焦点や構図の確認を行うための覗き込み型のファインダーである。蓋２０２は、記録媒体２００（後述）を格納するスロットの蓋である。グリップ部９０は、ユーザーがデジタルカメラ１００を構えた際に右手で握りやすい形状とした保持部である。
【００１５】
また、デジタルカメラ１００は、モード切替スイッチ６０、シャッターボタン６１、メイン電子ダイヤル７１、電源スイッチ７２、サブ電子ダイヤル７３、４方向キー７４、ＳＥＴボタン７５、及び、ＬＶボタン７６を有する。デジタルカメラ１００は、拡大ボタン７７、縮小ボタン７８、再生ボタン７９、ＩＳＯ設定ボタン８１、及び、メニューボタン８２も有する。デジタルカメラ１００は、他の操作部材を有していてもよい。各種操作部材については後述する。
【００１６】
図２は、デジタルカメラ１００の構成例を示すブロック図である。
【００１７】
レンズユニット１５０は、交換可能な撮影レンズを搭載するレンズユニットである。レンズ１０３は通常、複数枚のレンズから構成されるが、図２では簡略して一枚のレンズのみで示している。通信端子６は、レンズユニット１５０がデジタルカメラ１００側と通信を行うための通信端子であり、通信端子１０は、デジタルカメラ１００がレンズユニット１５０側と通信を行うための通信端子である。レンズユニット１５０は、これら通信端子６、１０を介してシステム制御部５０と通信する。そして、レンズユニット１５０は、内部のレンズシステム制御回路４によって絞り駆動回路２を介して絞り１の制御を行う。また、レンズユニット１５０は、レンズシステム制御回路４によってＡＦ駆動回路３を介してレンズ１０３の位置を変位させることで焦点を合わせる。
【００１８】
ＡＥ（自動露出）センサー１７は、レンズユニット１５０を通した被写体（被写体光）の輝度を測光する。
【００１９】
焦点検出部１１は、システム制御部５０にデフォーカス量情報を出力する。システム制御部５０は、デフォーカス量情報に基づいてレンズユニット１５０を制御し、位相差ＡＦ
を行う。
【００２０】
クイックリターンミラー１２（以下、ミラー１２）は、露光、ライブビュー撮影、動画撮影などの際にシステム制御部５０から指示されて、不図示のアクチュエータによりアップダウンされる。ミラー１２は、レンズ１０３から入射した光束をファインダー１６側と撮像部２２側とに切り替えるためのミラーである。ミラー１２は、通常時は、ファインダー１６へと光束を導く（反射させる）ように配されるが（ミラーダウン）、撮影やライブビュー表示が行われる場合には、撮像部２２へと光束を導くように上方に跳ね上がり光束中から待避する（ミラーアップ）。また、ミラー１２は、その中央部が光の一部を透過できるようにハーフミラーとなっており、光束の一部を、焦点検出を行うための焦点検出部１１に入射するように透過させる。
【００２１】
撮影者は、ペンタプリズム１４とファインダー１６を介して、フォーカシングスクリーン１３を観察することで、レンズユニット１５０を通して得た被写体の光学像の焦点や構図の確認が可能となる。
【００２２】
シャッター１０１は、システム制御部５０の制御で撮像部２２の露光時間を自由に制御できるフォーカルプレーンシャッターである。
【００２３】
撮像部２２は、光学像を電気信号に変換するＣＣＤやＣＭＯＳ素子等で構成される撮像素子である。Ａ／Ｄ変換器２３は、撮像部２２から出力されるアナログ信号をデジタル信号に変換する。
【００２４】
画像処理部２４は、Ａ／Ｄ変換器２３からのデータ、又は、メモリ制御部１５からのデータに対し所定の処理（画素補間、縮小といったリサイズ処理、色変換処理、等）を行う。また、画像処理部２４では、撮像した画像データを用いて所定の演算処理が行われ、得られた演算結果に基づいてシステム制御部５０が露光制御や測距制御を行う。これにより、ＴＴＬ（スルー・ザ・レンズ）方式のＡＦ（オートフォーカス）処理、ＡＥ処理、ＥＦ（フラッシュプリ発光）処理、等が行われる。画像処理部２４では更に、撮像した画像データを用いて所定の演算処理が行われ、得られた演算結果に基づいてＴＴＬ方式のＡＷＢ（オートホワイトバランス）処理も行われる。
【００２５】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００２６】
また、メモリ３２は画像表示用のメモリ（ビデオメモリ）を兼ねている。Ｄ／Ａ変換器１９は、メモリ３２に格納されている画像表示用のデータをアナログ信号に変換して表示部２８に供給する。こうして、メモリ３２に書き込まれた表示用の画像データはＤ／Ａ変換器１９を介して表示部２８により表示される。表示部２８は、ＬＣＤ等の表示器上で、Ｄ／Ａ変換器１９からのアナログ信号に応じた表示を行う。Ａ／Ｄ変換器２３によってＡ／Ｄ変換されメモリ３２に蓄積されたデジタル信号をＤ／Ａ変換器１９においてＤ／Ａ変換し、表示部２８に逐次転送して表示することで、電子ビューファインダーの機能が実現でき、スルー画像表示（ライブビュー表示）が行える。以下、ライブビュー表示で表示される画像を「ＬＶ画像」と称する。
【００２７】
ファインダー内表示部４１には、ファインダー内表示部駆動回路４２を介して、現在オートフォーカスが行われている測距点を示す枠（ＡＦ枠）や、カメラの設定状態を表すア
イコンなどが表示される。
【００２８】
ファインダー外表示部４３には、ファインダー外表示部駆動回路４４を介して、シャッター速度や絞りをはじめとするデジタルカメラ１００の様々な設定値が表示される。
【００２９】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００３０】
システム制御部５０は、少なくとも１つのプロセッサーまたは回路からなる制御部であり、デジタルカメラ１００全体を制御する。システム制御部５０は、前述した不揮発性メモリ５６に記録されたプログラムを実行することで、後述する本実施形態の各処理を実現する。システムメモリ５２は例えばＲＡＭであり、システム制御部５０は、システム制御部５０の動作用の定数、変数、不揮発性メモリ５６から読み出したプログラム等をシステムメモリ５２に展開する。また、システム制御部５０は、メモリ３２、Ｄ／Ａ変換器１９、表示部２８等を制御することにより表示制御も行う。
【００３１】
システムタイマー５３は、各種制御に用いる時間や、内蔵された時計の時間を計測する計時部である。
【００３２】
電源制御部８０は、電池検出回路、ＤＣ−ＤＣコンバータ、通電するブロックを切り替えるスイッチ回路等により構成され、電池の装着の有無、電池の種類、及び、電池残量の検出等を行う。また、電源制御部８０は、その検出結果及びシステム制御部５０の指示に基づいてＤＣ−ＤＣコンバータを制御し、必要な電圧を必要な期間、記録媒体２００を含む各部へ供給する。電源部３０は、アルカリ電池やリチウム電池等の一次電池やＮｉＣｄ電池やＮｉＭＨ電池、Ｌｉ電池等の二次電池、ＡＣアダプター等からなる。
【００３３】
記録媒体Ｉ／Ｆ１８は、メモリカードやハードディスク等の記録媒体２００とのインターフェースである。記録媒体２００は、撮影された画像を記録するためのメモリカード等の記録媒体であり、半導体メモリや磁気ディスク等から構成される。
【００３４】
通信部５４は、無線または有線ケーブルによって接続された外部機器に対して、映像信号や音声信号の送受信を行う。通信部５４は無線ＬＡＮ（Ｌｏｃａｌ  Ａｒｅａ  Ｎｅｔｗｏｒｋ）やインターネットとも接続可能である。また、通信部５４は、Ｂｌｕｅｔｏｏｔｈ（登録商標）やＢｌｕｅｔｏｏｔｈ  Ｌｏｗ  Ｅｎｅｒｇｙでも外部機器と通信可能である。通信部５４は撮像部２２で撮像した画像（ＬＶ画像を含む）や、記録媒体２００に記録された画像を送信可能であり、外部機器から画像データやその他の各種情報を受信することができる。
【００３５】
姿勢検知部５５は、重力方向に対するデジタルカメラ１００の姿勢を検知する。姿勢検知部５５で検知された姿勢に基づいて、撮像部２２で撮影された画像が、デジタルカメラ１００を横に構えて撮影された画像であるか、縦に構えて撮影された画像であるかを判別可能である。システム制御部５０は、姿勢検知部５５で検知された姿勢に応じた向き情報を撮像部２２で撮像された画像（撮像画像）の画像ファイルに付加したり、画像を回転して記録したりすることが可能である。姿勢検知部５５としては、加速度センサーやジャイロセンサーなどを用いることができる。姿勢検知部５５である加速度センサーやジャイロセンサーを用いて、デジタルカメラ１００の動き（パン、チルト、持ち上げ、静止しているか否か等）を検知することも可能である。
【００３６】
操作部７０は、システム制御部５０に各種の動作指示を入力するための操作手段である。操作部７０は、ユーザーからの操作（ユーザー操作）を受け付ける入力部としての各種操作部材を含む。例えば、操作部７０は、押しボタン、回転ダイヤル、タッチセンサなどを含む。具体的には、操作部７０は、モード切替スイッチ６０、シャッターボタン６１、メイン電子ダイヤル７１、電源スイッチ７２、サブ電子ダイヤル７３、及び、４方向キー７４を含む。また、操作部７０は、ＳＥＴボタン７５、ＬＶボタン７６、拡大ボタン７７、縮小ボタン７８、再生ボタン７９、ＩＳＯ設定ボタン８１、及び、メニューボタン８２を含む。操作部７０の各操作部材は、表示部２８に表示される種々の機能アイコンを選択操作することなどにより、場面ごとに適宜機能が割り当てられ、各種機能ボタンとして作用する。機能ボタンとしては、例えば、終了ボタン、戻るボタン、画像送りボタン、ジャンプボタン、絞込みボタン、属性変更ボタン、等がある。例えば、メニューボタンが押下されると、各種の設定が可能なメニュー画面が表示部２８に表示される。ユーザーは、表示部２８に表示されたメニュー画面と、４方向キー７４やＳＥＴボタン７５とを用いて直感的に各種設定を行うことができる。
【００３７】
モード切替スイッチ６０は、各種モードを切り替えるための操作部材である。モード切替スイッチ６０は、システム制御部５０の動作モードを静止画記録モード、動画撮影モード、再生モード等のいずれかに切り替える。静止画記録モードに含まれるモードとして、オート撮影モード、オートシーン判別モード、マニュアルモード、絞り優先モード（Ａｖモード）、シャッター速度優先モード（Ｔｖモード）、及び、プログラムＡＥモードがある。また、撮影シーン別の撮影設定となる各種シーンモード、カスタムモード等がある。モード切替スイッチ６０により、ユーザーは、これらのモードのいずれかに直接切り替えることができる。あるいは、モード切替スイッチ６０で撮影モードの一覧画面に一旦切り換えた後に、表示された複数のモードのいずれかに、他の操作部材を用いて選択的に切り替えるようにしてもよい。同様に、動画撮影モードにも複数のモードが含まれていてもよい。
【００３８】
シャッターボタン６１は、撮影指示を行うための操作部材である。シャッターボタン６１は、第１シャッタースイッチ６２と第２シャッタースイッチ６４を備える。第１シャッタースイッチ６２は、シャッターボタン６１の操作途中、いわゆる半押し（撮影準備指示）でＯＮとなり、第１シャッタースイッチ信号ＳＷ１を発生する。システム制御部５０は、第１シャッタースイッチ信号ＳＷ１により、ＡＦ処理、ＡＥ処理、ＡＷＢ処理、ＥＦ処理、等の動作を開始する。第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００３９】
メイン電子ダイヤル７１は回転操作部材であり、メイン電子ダイヤル７１を回すことで、シャッター速度や絞りなどの設定値の変更等が行える。電源スイッチ７２は、デジタルカメラ１００の電源のＯＮ／ＯＦＦを切り替える操作部材である。サブ電子ダイヤル７３は回転操作部材であり、サブ電子ダイヤル７３を回すことで、選択枠の移動や画像送りなどが行える。４方向キー７４は、上、下、左、右の各部を押し込み可能に構成される。４方向キー７４の押した部分に応じた処理が可能である。ＳＥＴボタン７５は、押しボタンであり、主に選択項目の決定などに用いられる。
【００４０】
ＬＶボタン７６は、静止画撮影モードにおいてライブビュー（以下、ＬＶ）のＯＮ／ＯＦＦを切り替えるボタンである。つまり、ＬＶボタン７６を押下することで、ＬＶモード（ＬＶモード：ＯＮ）とＯＶＦモード（ＬＶモード：ＯＦＦ）とを切り替えることができる。ＬＶモードは、表示部２８にライブビュー表示で表示される画像（ＬＶ画像）を撮影
者が観察して撮影を行うためのモード（ライブビュー撮影モード）である。ＯＶＦ（Ｏｐｔｉｃａｌ  Ｖｉｅｗｆｉｎｄｅｒ、光学ファインダー）モードは、撮影者がファインダー１６等を介してフォーカシングスクリーン１３を観察して撮影を行うためのモード（光学ファインダー撮影モード）である。本実施形態におけるＯＶＦモードでは、表示部２８にはＬＶ画像は表示されない。ＯＶＦモードにおける表示部２８の表示については後述する。
【００４１】
動画撮影モードにおいては、ＬＶボタン７６は、動画撮影（記録）の開始、停止の指示に用いられる。拡大ボタン７７は、撮影モードのライブビュー表示において拡大モードのＯＮ／ＯＦＦの切り換え及び拡大モード中の拡大率の変更を行うための操作ボタンである。再生モードにおいては、拡大ボタン７７は、再生画像を拡大したり、その拡大率を増加させたりするための拡大ボタンとして機能する。縮小ボタン７８は、拡大された再生画像の拡大率を低減させ、表示された画像を縮小させるためのボタンである。再生ボタン７９は、撮影モードと再生モードとを切り替える操作ボタンである。撮影モード中に再生ボタン７９を押下することで再生モードに移行し、記録媒体２００に記録された画像のうち最新の画像を表示部２８に表示させることができる。
【００４２】
ＩＳＯ設定ボタン８１は、ＩＳＯ設定画面の表示やその他設定画面へのショートカットなどを行うためのボタンである。メニューボタン８２は、メニュー画面や一つ前の画面に遷移するためのボタンである。
【００４３】
＜画面表示例＞
図３は、本実施形態のＯＶＦモード（光学ファインダー撮影モード）において表示部２８に表示される撮影待機画面および設定画面の一例を示す図である。本実施形態のＯＶＦモードは、ライブビュー画像を表示部２８に表示しないで撮影を行うモードである。そのため、ＯＶＦモードで設定変更を行う場合、表示部２８には設定項目の選択肢や、設定項目の設定値を変更するためのアイテムのみが表示される。なお、ＬＶモードで設定変更を行う場合は、ライブビュー画像とともに、上記のアイテム等が表示される。
【００４４】
≪撮影待機画面≫
撮影待機画面３００は、ＯＶＦモードにおいて撮影待機中に表示される画面である。本実施形態では、撮影待機画面には、設定各種設定を行うための設定項目が表示される例について説明するが、撮影待機画面３００の表示は上記に限定されない。例えば、撮影待機画面にはバッテリー残量、撮影可能枚数などの情報が表示されていてもよい。
【００４５】
≪設定画面（第１階層）≫
設定画面３０１は、各種設定項目を選択するための画面である。本実施形態では、撮影待機画面３００においてＳＥＴボタン７５が押下されると設定画面３０１が表示される。設定画面３０１は、第１の階層メニューに含まれる第１の階層（最上位階層）のメニュー画面（トップメニュー）である。本実施形態では、設定画面３０１には、設定項目の一例である「Ｄｒｉｖｅ」、「Ｆｌａｓｈ」、「Ｃｒｅａｔｅ」が選択可能である。各項目については後述する。なお、本実施形態では、設定画面３０１においてメニューボタン８２が押下されると撮影待機画面３００が表示される。ここで、メニューボタン８２は、図３に示す各画面のうち一つ上の階層に移動するためのボタンであって、「戻る」ボタンと捉えることもできる。なお、設定画面３０１に表示される設定項目の数や内容は上記に限定されない。なお、各設定項目は後述するメニュー画面（設定画面３０２）を用いて選択されてもよい。また、一つ上の階層に移動するための操作は、メニューボタン８２の押下に限定されず、他のボタン操作や、タッチパネルを備える場合にはタッチ操作等でもよい。
【００４６】
設定画面３０２は、各種設定項目を選択するためのメニュー画面であるが、前述の設定
画面３０１のメニュー画面とはツリーの異なる階層メニュー（設定画面３０１から階層を辿っても表示されないメニュー）である。すなわち、設定画面３０２は、第１の階層メニューとは異なる第２の階層メニューのトップメニューである。本実施形態では、撮影待機画面３００においてメニューボタン８２が押下されると設定画面３０２が表示される。設定画面３０２は、ＩＳＯ感度の設定（設定画面３４０）等の各種設定を行うための一般的なメニュー画面であるため詳細な説明は省略する。
【００４７】
≪設定画面（第２階層）≫
設定画面３１０〜３３０は、第１の階層メニューに含まれる、設定画面３０１の１つ下の階層（第２階層）の設定画面であり、それぞれ設定項目「Ｄｒｉｖｅ」，「Ｆｌａｓｈ」，「Ｃｒｅａｔｅ」の設定値を変更するための画面である。「Ｄｒｉｖｅ」は、連続撮影を行うか否かの設定や、セルフタイマーの設定等を行うための設定項目である。「Ｆｌａｓｈ」は、ストロボに関する設定であって、自動発光、常時発光、発光禁止の設定等を行うための設定項目である。「Ｃｒｅａｔｅ」は、絞りや露出を設定するための項目である。本実施形態では、設定画面３０１において「Ｄｒｉｖｅ」，「Ｆｌａｓｈ」，「Ｃｒｅａｔｅ」のうちいずれかにカーソルが当たっている状態でＳＥＴボタン７５が押下されるとそれぞれの設定画面が表示される。ここで、本実施形態では、「Ｃｒｅａｔｅ」には「Ｐｒｅｓｅｔ」、「Ａｖ」、「Ｅｖ」等の設定項目が含まれる。各項目については後述する。以下、「Ｄｒｉｖｅ」，「Ｆｌａｓｈ」，「Ｃｒｅａｔｅ」等を第２階層の設定項目（設定画面）と称し、「Ｐｒｅｓｅｔ」、「Ａｖ」、「Ｅｖ」等を第３階層の設定項目（設定画面）と称する。
【００４８】
≪設定画面（第３階層）≫
設定画面３３１〜３３３は、第１の階層メニューに含まれる、設定画面３０１の２つ下の階層（第３階層）の設定画面であり、それぞれ設定項目「Ｐｒｅｓｅｔ」、「Ａｖ」、「Ｅｖ」の設定値を変更するための画面である。「Ｐｒｅｓｅｔ」は、あらかじめ用意されたシーン（例えば、曇り、晴れ、室内など）を選択することにより絞りや露出を設定するための項目である。「Ａｖ（Ａｐｅｒｔｕｒｅ  Ｖａｌｕｅ、絞り値）」は、絞りの設定を行うための項目である。「Ｅｖ（Ｅｘｐｏｓｕｒｅ  Ｖａｌｕｅ、露出値）」は、露出の設定を行うための項目である。本実施形態では、設定画面３３０において「Ｐｒｅｓｅｔ」、「Ａｖ」、「Ｅｖ」のうちいずれかにカーソルが当たっている状態でＳＥＴボタン７５が押下されるとそれぞれに対応する第３階層の設定画面が表示される。
【００４９】
＜画面遷移例＞
図４Ａ〜図４Ｉは、本実施形態のＯＶＦモード（光学ファインダー撮影モード）において表示部２８に表示される設定画面の一例を示す図である。図４Ａ〜図４Ｉの遷移において、「Ｓｅｔ」、「Ｓｅｌｅｃｔ」、「Ｍｅｎｕ」は、それぞれＳＥＴボタン７５、４方向キー７４、メニューボタン８２の操作を示す。
【００５０】
図４Ａは、撮影時の待機画面（撮影待機画面３００）を示す図である。撮影待機画面３００においてＳＥＴボタン７５が押下されると、図４Ｂに示す設定画面３０１が表示される。設定画面３０１では、４方向キー７４およびＳＥＴボタン７５の押下に応じて表示されている設定項目を選択することができる。図４Ｂに示す設定画面３０１の例では、「Ｄｒｉｖｅ」、「Ｆｌａｓｈ」、「Ｃｒｅａｔｅ」のうち、「Ｃｒｅａｔｅ」にカーソルが当たっている。この状態で、ＳＥＴボタン７５が押下されると、図４Ｃに示す設定画面３３０（Ｃｒｅａｔｅ）が表示される。
【００５１】
図４Ｃは、設定画面３３０の初期画面の一例を示す図である。図４Ｃの例では、上記の設定項目のうち「Ｐｒｅｓｅｔ」にカーソルが当たっている。この状態で、４方向キー７４の右が押下されると、図４Ｄに示すように上記の設定項目のうち「Ａｖ」にカーソルが
当たる。この状態で、ＳＥＴボタン７５が押下されると、図４Ｅに示す設定画面３３２（Ｃｒｅａｔｅ−Ａｖ）が表示される。
【００５２】
図４Ｅは、設定画面３３２の初期画面の一例を示す図である。図４Ｅの例では、上記の選択された設定項目（Ａｖ）の設定値を変更するためのアイテム４０１が表示される。ここで、アイテム４０１は、設定項目の設定（値）を示す数字や記号、バー等である例について説明するが、表示されるものはこれらに限定されず、設定内容を示すアイコン（例えば、雲や太陽）等でもよい。図４Ｅの例では、設定項目Ａｖ（絞り）の設定値は「０」である。この状態で、４方向キー７４の右が２回押下されると、図４Ｆに示すようにＡｖの設定値は「＋２」に設定される。
【００５３】
図４Ｇ〜図４Ｉは、図４Ｆに示す絞り設定画面においてメニューボタン８２が押下された場合の遷移後の画面を示す図である。本実施形態では、メニューボタン８２を押下すると一つ前の画面に遷移することができ、設定画面３３２（図４Ｆ）→設定画面３３０（図４Ｇ）→設定画面３０１（図４Ｈ）→撮影待機画面３００（図４Ｉ）の順に撮影待機画面３００まで戻ることができる。本実施形態では、各種ボタン操作等により、図４Ａ〜図４Ｉに示すように設定画面を切り替えたり、階層を移動したりすることができる。
【００５４】
ここで、本実施形態では、設定画面間の画面遷移に応じて、遷移後の設定画面が記憶される（記憶制御）。そして、ＯＶＦモードにおいて、設定画面を閉じた後に所定の操作が行われた場合は、記憶されている設定画面（前回最後に表示していた設定項目の設定画面）が表示される。例えば、撮影待機画面３００を表示中に所定の操作が行われると、記憶されている設定画面に遷移（ジャンプ、ショートカット）する。
【００５５】
所定の操作は、本実施形態では、ＩＳＯ設定ボタン８１を押下する操作である。ＩＳＯ設定ボタン８１は、ＯＶＦモードにおいては、ショートカットボタンと捉えることもできる。なお、所定の操作は上記に限定されず、ＩＳＯ設定ボタン８１以外の操作部材の操作や、撮像装置がタッチパネルを備える場合には種々のタッチ操作等でもよい。
【００５６】
また、本実施形態では、所定の設定画面を表示中に上記の所定の操作が行われると、当該所定の設定画面を閉じる。例えば、設定画面３３０〜３３３を表示中に所定の操作が行われると、撮影待機画面３００へ遷移（ジャンプ）する。なお、所定の設定画面以外の設定画面を表示中に所定の操作が行われると、所定の操作を行うための操作部に紐づく画面（例えば、ＩＳＯ設定画面）が表示される。
【００５７】
＜処理内容＞
図５は、本実施形態における画面表示処理を示すフローチャートの一例である。当該フローチャートにおける各処理は、システム制御部５０が不揮発性メモリ５６に格納されたプログラムをシステムメモリ５２に展開して実行することにより実現される。
【００５８】
Ｓ５０１では、システム制御部５０は、操作部７０に対するユーザの操作に基づいて実行する処理を判断する。処理は図６および図７に示すテーブルを参照して判断される。
【００５９】
図６は、ＯＶＦモードの各画面における操作部７０を構成するボタン等に対応する処理の一例を示す。図６では、各画面として、撮影待機画面３００、設定画面３０１〜３４０を例に説明する。各画面には、便宜的に画面ＩＤが設けられる。また、図６では、操作部７０として、シャッターボタン６１、４方向キー７４、ＳＥＴボタン７５、ＩＳＯ設定ボタン８１、メニューボタン８２を例に説明する。
【００６０】
図６中の各操作部に対応する数字は、遷移後の画面の画面ＩＤを示す。例えば、撮影待
機画面３００を表示中にＳＥＴボタン７５が押下されると、図６より「２」が取得されるので、画面ＩＤが２である設定画面３０１へ遷移する。
【００６１】
図６中の「Ｇｏ」は、選択された項目に対応する画面に遷移することを示す。例えば、設定画面３０１を表示中に「Ｃｒｅａｔｅ」にカーソルが当たっている状態（図４Ｂ）でＳＥＴボタン７５が押下（選択）されると、選択された「Ｃｒｅａｔｅ」に対応する画面である設定画面３３０へ遷移する。
【００６２】
図６中の「Ｂａｃｋ」は、設定画面に間の一つ上の階層の画面へ遷移することを示す。例えば、設定画面３３０を表示中にメニューボタン８２が押下されると、一つ上の階層の画面である設定画面３０１へ遷移する。なお、メニューボタン８２は一般なメニュー画面を表示するためのボタンであるため、撮影待機画面３００を表示中にメニューボタン８２が押下されると設定画面３０２のメニュー画面へ遷移する。
【００６３】
図６中の「Ｕｐ」、「Ｄｏｗｎ」、「Ｌｅｆｔ」および「Ｒｉｇｈｔ」は、各設定画面に表示される項目や設定値のカーソルを上下左右に移動することを示す。すなわち、項目の選択（Ｓｅｌｅｃｔ）を示す操作であると捉えることもできる。例えば、設定画面３３０を表示中に４方向キー７４の「左」または「右」が押下されると、「Ｐｒｅｓｅｔ」、「Ａｖ」、「Ｅｖ」のいずれかにカーソルが移動する。
【００６４】
図６中の「Ｒｅｃ」は、撮影操作を示す。例えば、撮影待機画面３００を表示中にシャッターボタン６１が押下されると撮影をするための制御が行われる。
【００６５】
図６中の「Ｊｕｍｐ」は、上述の通り、設定画面から撮影待機画面３００へ遷移（ジャンプ）、または撮影待機画面３００から記憶されている設定画面へ遷移（ジャンプ）することを示す。
【００６６】
図６中の「−」は、何も操作が行われないことを示す。例えば、撮影待機画面３００を表示中に４方向キー７４が押下されても画面遷移等は行われない。なお、図６には示されていないが各画面において電源スイッチ７２の操作により電源をＯＦＦにするための操作がなされた場合には、システム制御部５０は、全ての処理を終了する操作である「Ｆｉｎｉｓｈ」が実行されたと判断する。
【００６７】
図７は、ＬＶモードの各画面における操作部７０を構成するボタン等に対応する処理の一例を示す。図６に示したＯＶＦモードの処理との違いは、ＩＳＯ設定ボタン８１を押下した場合の「Ｊｕｍｐ」がないことである。ＬＶモードでは、ライブビュー画像とともに設定画面を表示することができるため、操作部７０に対応する処理に「Ｊｕｍｐ」を含める必要はない。このため、図７の例では、各画面でＩＳＯ設定ボタン８１が操作されると、ＩＳＯ感度を設定するための画面である表示画面３４０が表示される。このようにＬＶモードでは各操作部に対応する処理が実行される。
【００６８】
図５の説明に戻る。Ｓ５０２では、システム制御部５０は、Ｓ５０１における判断結果が「Ｇｏ」であるか否かを判断する。「Ｇｏ」の場合はＳ５０３に進み、そうでない場合はＳ５０５に進む。Ｓ５０３では、システム制御部５０は、設定画面で選択中の設定項目に紐づく画面（一つ下の階層の画面）へ遷移する。Ｓ５０４では、システム制御部５０は、現在表示している設定画面を記憶する。本実施形態では、システム制御部５０は、現在表示している設定画面を、デジタルカメラ１００に設けられる記憶部に記憶するものとするが、外部の記憶装置に記憶してもよい。
【００６９】
Ｓ５０５では、システム制御部５０は、Ｓ５０１における判断結果が「Ｂａｃｋ」であ
るか否かを判断する。「Ｂａｃｋ」の場合はＳ５０６に進み、そうでない場合はＳ５０７に進む。Ｓ５０６では、システム制御部５０は、現在表示している設定画面に基づいて一つ上の階層の画面に遷移する。
【００７０】
Ｓ５０７では、システム制御部５０は、Ｓ５０１における判断結果が「Ｓｅｌｅｃｔ」であるか否かを判断する。「Ｓｅｌｅｃｔ」の場合はＳ５０８に進み、そうでない場合はＳ５１０へ進む。システム制御部５０は、Ｓ５０１における判断結果が「Ｕｐ」、「Ｄｏｗｎ」、「Ｌｅｆｔ」および「Ｒｉｇｈｔ」のいずれかである場合に「Ｓｅｌｅｃｔ」と判断する。Ｓ５０８では、システム制御部５０は、現在表示している設定画面で選択中の項目を変更する。Ｓ５０９では、システム制御部５０は、現在表示している設定画面で選択中の項目を記憶する。
【００７１】
Ｓ５１０では、システム制御部５０は、Ｓ５０１における判断結果が「Ｒｅｃ」であるか否かを判断する。「Ｒｅｃ」の場合はＳ５１１へ進み、そうでない場合はＳ５１４へ進む。Ｓ５１１では、システム制御部５０は、撮影待機画面３００へ遷移する。すなわち、設定画面が閉じられる。Ｓ５１２では、システム制御部５０は、撮影の制御を行う。Ｓ５１３では、システム制御部５０は、撮影結果を表示部２８に表示する。本実施形態では、システム制御部５０は、一定時間経過すると撮影待機画面３００へ遷移するものとするが、操作部７０が操作されるまで撮影結果を表示してもよい。
【００７２】
Ｓ５１４では、システム制御部５０は、ライブビュー表示を行っているか否かを判断する。ライブビュー表示を行っている場合はＳＳ５１５へ進み、そうでない場合はＳ５１６へ進む。Ｓ５１５では、システム制御部５０は、ライブビュー表示の更新を行う。
【００７３】
Ｓ５１６では、システム制御部５０は、Ｓ５０１における判断結果が「Ｊｕｍｐ」である否かを判断する。「Ｊｕｍｐ」の場合はＳ５１７へ進み、そうでない場合はＳＳ５２１へ進む。Ｓ５１７では、システム制御部５０は、Ｓ５０４において記憶した設定画面とＳ５０９において記憶した選択項目を取得する。
【００７４】
Ｓ５１８では、システム制御部５０は、現在表示している設定画面とＳ５１７で取得した設定画面とが同じであるか否かを判断する。同じである場合はＳ５１９へ進み、そうでない場合はＳ５２０へ進む。Ｓ５１９では、システム制御部５０は、撮影待機画面３００に遷移する。Ｓ５２０では、システム制御部５０は、Ｓ５１７において取得した設定画面に遷移する。ここで、Ｓ５０９で取得した選択中の項目がある場合は、システム制御部５０は、遷移後の設定画面において、当該項目にカーソルを当てた状態にする。なお、Ｓ５１７において、記憶部から設定画面が取得できない場合は、Ｓ５２０では画面遷移を行わないものとする。
【００７５】
Ｓ５２１では、システム制御部５０は、Ｓ５０１における判断結果が「Ｆｉｎｉｓｈ」であるか否かを判断する。「Ｆｉｎｉｓｈ」の場合はシステム制御部５０は本処理を終了し、そうでない場合はＳ５０１へ戻る。
【００７６】
＜本実施形態の有利な効果＞
以上のように、本実施形態によればＯＶＦモードにおいて設定画面を閉じた後に、所定の操作が行われたことに応じて、記憶されている設定画面を表示する。これにより、撮影後に設定を行う手間を軽減することができる。
【００７７】
（実施形態２）
本実施形態では、ＯＶＦモードにおいて設定画面を閉じた後に撮影が行われたことに応じて、記憶されている設定画面を表示する。また、本実施形態では、設定画面間の画面遷
移のうち下の階層へ画面遷移した場合は遷移後の設定画面を記憶し、上の階層へ画面遷移した場合は遷移後の設定画面を記憶しない。本実施形態に係るデジタルカメラ１００の構成は、実施形態１と同様のため説明は省略する。なお、記憶されている設定画面を撮影後に表示する機能、および下の階層へ画面遷移した場合に遷移後の設定画面を記憶する機能はいずれか一方のみを有していてもよい。
【００７８】
図８は、本実施形態における画面表示処理を示すフローチャートの一例である。当該フローチャートおける各処理は、システム制御部５０が不揮発性メモリ５６に格納されたプログラムをシステムメモリ５２に展開して実行することにより実現される。なお、図８のＳ５０１〜Ｓ５０５は、図５に示す処理と同様の処理であるため説明を省略する。
【００７９】
Ｓ８０６では、システム制御部５０は、現在表示している設定画面に基づいて一つ上の階層に画面を遷移するとＳ５０１へ戻る。すなわち、本実施形態では、システム制御部５０は、設定画面間の画面遷移のうち下の階層へ画面遷移した場合は遷移後の設定画面を記憶するが、上の階層へ画面遷移した場合は遷移後の設定画面を記憶しない。例えば、図４Ａに示す画面から順に図４Ｉに示す画面へ遷移を行う場合は図４Ｆに示す設定画面３３２が記憶される。Ｓ５０７〜Ｓ５１２は、図５に示す処理と同様の処理であるため説明を省略する。
【００８０】
Ｓ８１３では、システム制御部５０は、撮影結果を表示部２８に表示するとＳ５１７へ進む。すなわち、本実施形態では、撮像が行われた場合、撮影結果を表示した後に、記憶されている設定画面を表示する。本実施形態では、システム制御部５０は、一定時間経過するとＳ５１７へ移行するものとするが、いずれかの操作部７０が操作されるまで撮影結果を表示してもよい。Ｓ５１４〜Ｓ５２１は、図５に示す処理と同様の処理であるため説明を省略する。
【００８１】
＜本実施形態の有利な効果＞
以上説明したように、本実施形態によれば、上の階層への画面遷移を記憶しないことで、上の階層へ戻る操作を繰り返して設定画面を閉じた場合でも、記憶されている設定画面のうち最下層の設定画面を表示することができる。また、ＯＶＦモードにおいて設定画面を閉じた後に撮影が行われたことに応じて、記憶されている設定画面を表示する。これにより、所定の操作が行われなくても記憶されている設定画面を表示するため、ユーザが再度同じ設定画面に遷移するための手間を軽減することができる。
【００８２】
（変形例）
上述の実施形態において、システム制御部５０は、記憶する対象の設定画面を限定してもよい。すなわち、システム制御部５０は、特定の設定画面に遷移した場合に遷移後の設定画面を記憶してもよい。特定の設定画面は、例えば、複数の階層からなる設定画面（設定画面３３０〜３３３等）や、ユーザ等によってあらかじめ決定された設定画面等が挙げられる。
【００８３】
上述の実施形態において、システム制御部５０は、特定の画面遷移が行われた場合に限定して遷移後の設定画面を記憶してもよい。例えば、システム制御部５０は、特定の設定画面間における画面遷移や、特定の階層間における画面遷移等に限定して遷移後の設定画面を記憶してもよい。また、特定の設定画面間（例えば、画面Ａと画面Ｂ）においても、システム制御部５０は、画面Ａ→画面Ｂの遷移の場合は遷移後の設定画面を記憶し、画面Ｂ→画面Ａの遷移の場合は遷移後の設定画面を記憶しないようにしてもよい。さらに、特定の設定画面に遷移する場合、システム制御部５０は、遷移元の画面に応じて、遷移後の設定画面を記憶するか否かを判断してもよい。
【００８４】
上述の実施形態において、システム制御部５０は、設定画面間で画面遷移が行われた場合は常に遷移後の設定画面を記憶してもよい。
【００８５】
上述の実施形態では、撮影モードは特に限定せず、設定画面間の遷移に応じて遷移後の設定画面が記憶される例について説明したが、当該記憶を行う処理はＯＶＦモード時に限定して行われてもよい。
【００８６】
上述の実施形態では、撮像装置単体で処理を行う例について説明したが、撮像装置とは別体の制御装置を用いて上記処理を行ってもよい。
【００８７】
なお、システム制御部５０が行うものとして説明した上述の各種制御は１つのハードウェアが行ってもよいし、複数のハードウェア（例えば、複数のプロセッサーや回路）が処理を分担することで、装置全体の制御を行ってもよい。
【００８８】
また、本発明をその好適な実施形態に基づいて詳述してきたが、本発明はこれら所定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００８９】
また、上述した実施形態においては、本発明をデジタルカメラに適用した場合を例にして説明したが、これはこの例に限定されない。例えば、パーソナルコンピュータやＰＤＡ、携帯電話端末や携帯型の画像ビューワ、ディスプレイを備えるプリンタ装置、デジタルフォトフレーム、音楽プレーヤー、ゲーム機、電子ブックリーダーなどに適用可能である。
【００９０】
（その他）
本発明は、以下の処理を実行することによっても実現される。即ち、上述した実施形態の機能を実現するソフトウェア（プログラム）をネットワーク又は各種記憶媒体を介してシステム又は装置に供給し、そのシステム又は装置のコンピュータ（又はＣＰＵやＭＰＵ等）がプログラムコードを読み出して実行する処理である。この場合、そのプログラム、及び該プログラムを記憶した記憶媒体は本発明を構成することになる。
【００９１】
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００９２】
１６：接眼ファインダー      ２８：表示部      ５０：システム制御部
１００：デジタルカメラ
【図１】
2020108090.tif 000003
【図２】
2020108090.tif 000004
【図３】
2020108090.tif 000005
【図４】
2020108090.tif 000006
【図５】
2020108090.tif 000007
【図６】
2020108090.tif 000008
【図７】
2020108090.tif 000009
【図８】
2020108090.tif 000010